(57)【特許請求の範囲】
【請求項１】
球払出手段の下方に着脱自在に取り付けられ前記球払出手段から排出されたパチンコ球を受け入れて下方へと放出するケース体によって形成されたパチンコ機の通路ユニットであって、
前記ケース体には、
前記球払出手段の排出口に合致して該球払出手段から払い出されたパチンコ球を受け入れる流入通路と、
前記流入通路を分岐して形成した第一球通路及び第二球通路と、
可動することによって前記第一球通路又は第二球通路のいずれかを閉塞する切替手段と、
前記第一球通路及び第二球通路の各々に設けられ該第一球通路又は第二球通路を通過するパチンコ球を検知するセンサとが設けられ、
前記流入通路で受け入れたパチンコ球が第一球通路を流下した時は前記センサによって賞球として計数され、前記流入通路で受け入れたパチンコ球が第二球通路を流下した時は前記センサによって貸球として計数されて、該第一球通路又は第二球通路から放出されるようになっており、
さらに、前記流入通路の流入口と前記第一球通路の流出口とは上下対称位置に設けられていて、
前記ケース体を該ケース体の取着面に対し水平な軸を中心として１８０度反転して取り付けると、前記第一球通路が前記球払出手段の排出口に合致して、該球払出手段から払い出されたパチンコ球を該第一球通路で受け入れて前記流入通路から放出するようになっていることを特徴とするパチンコ機の通路ユニット。
【発明の詳細な説明】
【０００１】
【発明の属する技術分野】
本発明は、球払出手段の下方に着脱自在に取り付けられ前記球払出手段から排出されたパチンコ球を受け入れて下方へと放出するケース体によって形成されたパチンコ機の通路ユニットに関するものである。
【０００２】
【従来の技術】
従来、パチンコ遊技機は貸球を別途設けた球貸し機から払出す普通機と、予め金額情報が記録されたプリペイドカードまたは現金を投入口に挿入して球貸スイッチボタンを操作することによりパチンコ遊技機に備えた球払出装置から所定個数の貸球が打球供給皿に払い出されるようになっているＣＲ機とがある。
【０００３】
ところで、一般に普通機と称されているパチンコ遊技機の場合、球払出装置は、入賞球検出信号に基づいて所定個数の賞球を打球供給皿に払い出す機能を有するだけであったが、ＣＲ機の場合上記球払出手段により賞球および貸球が払出されるため、賞球および貸球を区別するために球払出手段の下方に通路を分岐して貸球用通路と賞球用通路が設けられ、分岐部に設けた切替手段により賞球と貸球を別々に計数するようにしている。
【０００４】
このため、普通機用およびＣＲ機用の２種類の裏機構を形成しなければならず、金型費が嵩んで製造コストが高くなったり、在庫管理が容易でないという問題があった。そこで、この問題を解決するために切替手段を備えたＣＲ機用の通路ユニットと普通機用の通路ユニットに互換性をもたせて、いずれかの通路ユニットを選択することでＣＲ機および普通機に変更できる遊技機が開示されている。（特開２０００−２８８２０２号，特開２００１−７０５７２号公報参照）
【０００５】
【発明が解決しようとする課題】
しかしながら、上記公報に開示された遊技機においてもＣＲ機用の通路ユニットおよび普通機用の通路ユニットを別々に形成しなければならず、それぞれ異なる部品を使用した構造であるため金型費および在庫管理において根本的な解決とはならず、依然金型費および在庫管理の問題が残った。
【０００６】
そこで、本発明は上記した課題を解決するために提案されたもので、その目的とするところは、部品を共有化して普通機と称される一般的なパチンコ遊技機とカード対応型のパチンコ遊技機とのいずれにも容易に対応することができるパチンコ遊技機の通路ユニットを提供することにある。
【０００７】
【課題を解決するための手段】
本発明は上記した目的を達成するために提案されたもので、球払出手段の下方に着脱自在に取り付けられ前記球払出手段から排出されたパチンコ球を受け入れて下方へと放出するケース体によって形成されたパチンコ機の通路ユニットであって、前記ケース体には、前記球払出手段の排出口に合致して該球払出手段から払い出されたパチンコ球を受け入れる流入通路と、前記流入通路を分岐して形成した第一球通路及び第二球通路と、可動することによって前記第一球通路又は第二球通路のいずれかを閉塞する切替手段と、前記第一球通路及び第二球通路の各々に設けられ該第一球通路又は第二球通路を通過するパチンコ球を検知するセンサとが設けられ、前記流入通路で受け入れたパチンコ球が第一球通路を流下した時は前記センサによって賞球として計数され、前記流入通路で受け入れたパチンコ球が第二球通路を流下した時は前記センサによって貸球として計数されて、該第一球通路又は第二球通路から放出されるようになっており、さらに、前記流入通路の流入口と前記第一球通路の流出口とは上下対称位置に設けられていて、前記ケース体を該ケース体の取着面に対し水平な軸を中心として１８０度反転して取り付けると、前記第一球通路が前記球払出手段の排出口に合致して、該球払出手段から払い出されたパチンコ球を該第一球通路で受け入れて前記流出通路から放出するようになっていることを特徴とする。
【０００８】
このように構成することにより、球払出装置から払出されたパチンコ球を貸球および賞球として貸球用通路および賞球用通路等の第一球通路と第二球通路に切替え導く切替手段を備えたカード対応型のパチンコ遊技機を、球払出装置から払出されたパチンコ球を賞球として払出す普通機として使用する場合には、通路ユニットを球払出装置の排出通路と一方の流出口が合致するように、パチンコ遊技機の使用状態における取着面に対し水平な軸により反転して装着することにより、通路ユニットの上下表裏が反転して球払出装置から払出されたパチンコ球が一方の流出口から流入してカード対応型のパチンコ遊技機時の流入口が唯一の流出口となり、一つの通路に固定的に流下させることができ、普通機とカード対応型のパチンコ遊技機のいずれにも共通して使用することが可能となり、遊技機の製造コストを大幅に下げると共に管理コストを下げることができる。
【０００９】
【発明の実施の形態】
次に、本発明の一実施の形態を図面を参照して説明する。図１は本発明が適用されるパチンコ遊技機の正面図、図２はその裏面図である。図において、１はパチンコ遊技機の機枠、２は機枠１の前面に開閉自在に設けられた前面枠、３は前面枠２の裏面に遊技盤取付枠４を介して着脱自在に取着された遊技盤である。前記前面枠２の前面に遊技盤３を覆うようにガラス扉枠５が開閉自在に設けられ、その下方に打球供給皿６が装着される。７は前記打球供給皿６の余剰球を貯留する下部貯留皿であり、８は遊技盤３の盤面に発射する打球を調節する発射ハンドルである。また、前記遊技盤３の裏面に合成樹脂製の機構板９が開閉自在に設けられ、該機構板９に開設した開口窓１０から前記遊技盤３の前面に設けられる可変表示装置等の中央役物の後面を囲う箱状カバー１１が臨んでいる。
【００１０】
前記遊技盤３にはガイドレールｇが植設され、該ガイドレールｇにより形成された遊技領域３ａに可変表示装置ａをはじめとして入賞口ｂ，始動入賞口ｃ，大入賞口ｄ等の盤面部品が設けられている。
【００１１】
前記機構板９の後面側であり、開口窓１０の上部位置には球タンク１２と、該球タンク１２に貯留されたパチンコ球を整列して流下させる球誘導樋１３および屈曲誘導樋１４が設けられ、該屈曲誘導樋１４に連通して球払出手段としての球払出装置１５が接続される。
【００１２】
前記球払出装置１５の下方は図３に示すように平らな設置スペース２５として形成され、該設置スペース２５に後述する通路ユニット２６が配置されるようになっている。そして、該設置スペース２５には通路ユニット２６を取着する取付ボス２７，２７が立設されている。また、通路ユニット２６の下方には球導出部２８を介して払出されたパチンコ球を打球供給皿６に導く球排出樋２９と、打球供給皿６にパチンコ球が充満したとき、その余剰球を下部貯留皿７に導く余剰球通路３０が形成されている。３１は球抜き通路であり、球抜きレバー３２を操作することによって球タンク１２に貯留されるパチンコ球が機外に球抜きされるようになっている。前記球排出樋２９および余剰球通路３０，球抜き通路３１は後面開放した樋状に形成され、該開放上面を覆うように樋カバー７０が設けられている。
【００１３】
前記球導出部２８は、図３に示すように通路幅はパチンコ球の直径よりも僅かに大きい程度であり、かつ底部は前方に向かうように傾斜されている。また、球導出部２８の上部は流下してくるパチンコ球が球導出部２８に優先して導かれるように傾斜して形成されている。なお、球導出部２８の底部には摩耗を防ぐための金属板３３が取付られている。
【００１４】
一方、機構板９の開口窓１０より下方部分は、パチンコ球の直径よりも僅かに大きい程度の前後幅寸法とした薄幅に形成され、かつ後面が開口された凹室状の同一内側空間部として構成されている。そして、その同一内側空間部に前記余剰球通路３０および球抜き通路３１と、入賞球集合通路３４等が集約して形成されている。また、これら各球通路が形成された同一内側空間部の後面は上縁両端部がヒンジ３５，３５により着脱および開閉自在に取付けられた平板状のカバー板３６によって被覆されている。
【００１５】
また、前記カバー板３６の後面側には、遊技機全体の遊技動作を制御する遊技制御基板が収納された大型の基板ボックス３８や賞球払出制御基板３９および発射制御基板４０が設置されている。
【００１６】
前記球払出装置１５は図６および図７に示すように箱枠状のケース１６に前記屈曲誘導樋１４の球通路１４ａ，１４ｂと連通する通路部としての供給通路１７と、該供給通路１７に臨み最先のパチンコ球を支持する制御体としての回転体１８と、該回転体１８の回転により供給通路１７のパチンコ球が払出され移動する屈曲通路１９と、回転体１８の支持から外れ払出される排出通路２０とを備え、ケース１６のカバー体２１に前記回転体１８を回転する電気的駆動源としてのモータ２２が取付けられている。
【００１７】
前記供給通路１７の少なくとも最先のパチンコ球が回転体１８に支持される通路幅（回転体の幅方向）は図７に示すように回転体１８上をパチンコ球がランダムに位置する幅広に形成され、本実施の形態において供給通路１７の通路幅を該供給通路１７内にパチンコ球がランダムに並列可能な２６ｍｍとしている。そして、屈曲通路１９において通路幅を回転体１８の中心側に絞り込み排出通路２０でパチンコ球のほぼ１個程度とし、該排出通路２０に払出し確認用の検出センサ２３として近接スイッチを設けて過剰払出しとならないように回転体１８の回転制御を行っている。
【００１８】
前記回転体１８は、合成樹脂により成形され図６および図７に示すように前記供給通路１７の通路幅とほぼ等しい寸法を有する円柱状をしており、その周面に軸方向と平行な溝状の球受部２４を複数（本実施の形態では６条）形成し、その中心を前記モータ２２のモータ軸２２ａに取付け、該モータ２２の回転により幅方向と直交する方向に回動するようにしている。前記球受部２４は前記供給通路１７にランダムに並んだパチンコ球が同時に２個受入れない形状が選ばれる。
【００１９】
上記構成の球払出装置１５は、供給通路１７にパチンコ球が供給されると最先のパチンコ球が球受部２４に受入れられて供給通路１７内で後続のパチンコ球がランダムに連続して連なって待機している。この状態で払出し信号によりモータ２２が回転し、回転体１８が回転すると、球受部２４に受入れられたパチンコ球は球受部２４で支持されつつ屈曲通路１９の傾斜面で中央に移動しながら下降し、後続のパチンコ球が球受部２４に受入れられる。このとき、供給通路１７内のパチンコ球がバランスがとれて球詰りしそうになるものの、回転体１８が回転しパチンコ球が球受部２４に交互に受入れられることによりバランスが崩れパチンコ球が流下する。そして、さらに回転体１８が回転すると、パチンコ球が球受部２４の支持から外れて排出通路２０に落下し、検出センサ２３によって検知されて排出され、後続のパチンコ球も同様に１個ずつ確実に排出されることになる。本実施の形態において供給通路１７をパチンコ球がランダムに流下する幅広に形成するようにしたが、球通路１４ａ，１４ｂと連通する２条の供給通路としてもよいのはいうまでもなく、逆に球誘導樋１３および屈曲誘導樋１４の球通路をパチンコ球がランダムに流下する幅広に形成するようにしてもよい。また、パチンコ球の検出センサ２３に替えて回転体１８の回転角度（本実施の形態において６０°で１個の払出）を検出することにより回転体１８の回転制御を行うようにして払出しを確認するようにしてもよい。なお、球払出手段は上記実施の形態に限定されるものではなく、スクリュータイプおよび円盤状の回転体であっても揺動体であってもよく、電気的駆動源としてソレノイドを使用した自由落下式の球払出装置であってもよいのはいうまでもない。
【００２０】
一方、前記通路ユニット２６は、図４に示すようにベース体４１ａとカバー体４１ｂとで構成されるケース体４１と切替手段５１とからなる。前記ベース体４１ａには前記球払出装置１５の排出通路２０に連通し、該排出通路２０を包含するパチンコ球のほぼ１球分の垂直状の流入通路４３を分岐５０して第一球通路および第二球通路とに逆Ｙ字状に分岐形成した通路枠４２を有している。本実施の形態において第一球通路を賞球用通路４４とし、第二球通路を貸球用通路４５として説明する。前記流入通路４３の流入口４３ａおよび前記賞球用通路４４の流出口４４ａはベース体４１ａおよびカバー体４１ｂを凹窪してケース体４１の前後幅の中心位置に位置すると共に、ケース体４１に対してそれぞれ上下対称位置に設けられ、取付手段としての取着片４９，４９がケース体４１の側壁中央に上下して設けられケース体４１の表裏対称位置にある。そして、通路ユニット２６全体は投影した外観上すべてにおいて、上下表裏対称形として、表裏反転可能な形状としている。なお、前記賞球用通路４４および貸球用通路４５はベース体４１ａおよびカバー体４１ｂを凹窪することなく平面状として、該賞球用通路４４および貸球用通路４５を流下するパチンコ球の球心を支持するリブ壁を立設することにより幅調整がなされるように形成するようにしてもよい。
【００２１】
また、前記賞球用通路４４および貸球用通路４５のそれぞれに払出されたパチンコ球を賞球または貸球として計数する球計数センサ４７，４８を設けており、特に賞球用通路４４の球計数センサ４７は通路の最下部に設けられている。前記球計数センサ４７，４８は、発光部と受光部とからなる光電式スイッチであり、外方への突出部はカバー体４１ｂの周壁リブにより保護されている。なお、前記球計数センサ４７，４８を前記賞球用通路４４および貸球用通路４５の分岐部５０近傍に設けて分流直後のパチンコ球を検知して、球払出装置１５の回転体１８から解放されて球計数されるまでのタイムラグを短くするようにしてもよい。また、前記球計数センサ４７，４８を光電式スイッチとしたが近接スイッチとしてもよい。
【００２２】
６６は、普通機用とＣＲ機用とを識別する確認手段であり、普通機用とカード対応型のパチンコ遊技機用とを変更して使用する際に、ケース体４１の装着方向を間違えないようにケース体４１の表裏それぞれに確認手段６６として「Ｆ」，「Ｃ」または「普通」，「カード」等普通機用とＣＲ機用と識別可能な表示・刻印等を施すようにするのが好ましい。
【００２３】
また、前記切替手段５１は分岐部５０に位置してケース体４１内に設けられ、球払出装置１５から払出されたパチンコ球を賞球用通路４４および貸球用通路４５のいずれか一方の通路に導く弁部材５２と、該弁部材５２を可動する電気的駆動源としてのソレノイド５４とで構成され、該ソレノイド５４の励磁・消磁によって弁部材５２が賞球用通路４４と貸球用通路４５のどちらか一方を閉塞するように切替えるようにしている。前記弁部材５２は、分岐部５０に設けられた軸支部５５に設置した支軸５６により回動自在に支持され、回動範囲は賞球用通路４４と貸球用通路４５のそれぞれに形成された回動規制部５７，５８により規制される。また、弁部材５２には作動ピン５９が一体に設けられ、該作動ピン５９がベース体４１ａに形成した長孔６０から裏面側に臨んでケース体内に収納されたソレノイド５４のプランジャ６１に取付けられた作動体６２と連繋してソレノイド５４の励磁・消磁によって回動し通路の切替え動作が行われる。なお、前記切替手段５１をユニット化するのが好ましく、切替手段５１の組付け・取外しが効率的に行うことができる。
【００２４】
上記構成の通路ユニット２６は、図４に示すように前記設置スペース２５に設けられた取付ボス２７，２７…に前記取着片４９，４９…をビス着６５する取付手段により球払出装置１５の下方に位置して取付けられる。このとき表面に施された確認手段６６としての「Ｃ」が判読可能であることからＣＲ機用と判断することができる。
【００２５】
そして、前記ソレノイド５４の常態である消磁状態では、図４および図７に示すようにプランジャ６１に巻装されたスプリング６４の付勢によりプランジャ６１が引かれた状態に位置し、弁部材５２が図５に示すように第二球通路としての貸球用通路４５を閉塞して第一球通路としての賞球用通路４４を開放してパチンコ球が賞球用通路４４に流下可能状態にある。また、ソレノイド５４の励磁状態では、スプリング６４の付勢に抗してプランジャ６１が押出され、それに伴い作動体６２が作動ピン５９を押して弁部材５２が同図鎖線のように賞球用通路４４を閉塞して貸球用通路４５にパチンコ球を導くように開放する。なお、便宜上弁部材５２により常に貸球用通路４５を閉塞するようにしたが、この実施の形態に限定されることはなく常に賞球用通路４４を閉塞するようにしてもよい。
【００２６】
上記切替手段５１の切替えにより賞球用通路４４と貸球用通路４５とに払出す第一状態の通路ユニット２６を装着したカード対応型のパチンコ遊技機（ＣＲ機）は、予め金額および球数情報が記録されたプリペイド，貯球カードまたは現金を、隣設される球貸し機（図示せず）の投入口に挿入操作することにより球貸出信号を発信する。この球貸出信号があると図４および図５鎖線に示すように切替手段５１のソレノイド５４を励磁して弁部材５２を図５鎖線に示すように作動することにより賞球用通路４４を閉塞して貸球用通路４５を開放状態とすると共に、球払出装置１５の駆動モータ２２を駆動して回転体１８を回転させてパチンコ球を払出し検知センサ２３で払出しを確認する。このように払出されたパチンコ球は貸球として貸球用通路４５を流下し、貸球用の球計数用センサ４８によりカウントされながら球排出樋２９に導かれ、球導出部２８を介して打球供給皿６に貯留される。そして、貸球用の球計数用センサ４８が所定個数の貸球をカウントすると球払出装置１５の駆動モータ２２が停止し、切替手段５１のソレノイド５４が消磁して弁部材５２が貸球用通路４５を閉塞して賞球用通路４４を開放状態とする。
【００２７】
一方、入賞口ｂ，始動入賞口ｃ，大入賞口ｄ等に入賞して入賞球信号があると球払出装置１５の駆動モータ２２を駆動し回転体１８を回転させてパチンコ球を払出す。払出されたパチンコ球は賞球として賞球用通路４４を流下し、賞球用の球計数用センサ４７によりカウントされながら球排出樋２９に導かれ、賞球用の球計数用センサ４７が所定個数の賞球をカウントすると球払出装置１５の駆動モータ２２が停止する。そして、賞球の払出しが連続して打球供給皿６に賞球が充満し、さらに球導出部２８に充満すると以後に払出される賞球は余剰球通路３０に導かれて下部貯留皿７に貯留される。
【００２８】
しかして、上記パチンコ遊技機を賞球のみを払出す普通機用とするには、通路ユニット２６から切替手段５１を外したケース体４１をＣＲ機対応時の状態から取着面に対し水平な軸により上下表裏反転すると、取着片４９，４９が設置スペース２３の取付ボス２７，２７に合致し、該取着片４９，４９を取付ボス２７，２７にビス着６５することにより取付けられ、ＣＲ機対応時の取付手段としての取付ボス２７，２７およびビス６５がそのまま共通して使用できる。このとき、ケース体４１の裏面側に施された確認手段６６としての「Ｆ」が判読可能となり普通機用と確認判断することができる。そして、賞球用通路４４の流出口４４ａと流入通路４３の流入口４３ａとが対称位置に設けられていることから、通路枠４２が反転することにより図８に示すようにＣＲ機対応時の賞球用通路４４の流出口４４ａが球払出装置１５の排出通路２０と合致して流入通路４３の流入口４３ａとなると共に、ＣＲ機対応時の流入通路４３の流入口４３ａが賞球用通路４４の流出口４４ａとなって、賞球用通路４４のみが流下可能となり、球払出装置１５から払出されたパチンコ球すべてが賞球として流出する。
【００２９】
このように、通路ユニット２６のケース体４１を流入通路４３に受入れたパチンコ球を前記切替手段５１の切替えにより第一球通路と第二球通路とに払出す第一状態から一方の流出口が球払出装置１５の排出通路２０に合致するように上下表裏反転装着するだけで、球払出装置１５から払出されたパチンコ球を賞球として第一球通路または第二球通路のいずれか一方に払出す第二状態とした状態で使用することができる。このことからカード対応型のパチンコ遊技機に使用するケース体４１を何等設計変更することなく通路ユニット２６のケース体４１を反転装着するだけで簡単に賞球用通路４４のみを使用する普通機に変更することができる。
【００３０】
なお、普通機への変更時にケース体４１を上下表裏反転することにより上方に位置するＣＲ機対応時の貸球用通路４５の流出口４５ａ開口は球払出装置１５本体または球払出装置１５の位置決めリブ等によって閉塞するようにして該開口からゴミ・埃がケース体４１内に入らないようにするのが好ましい。
【００３１】
また、通路形状を反転した際に払出したパチンコ球が分岐部５０に当接しながら流下しないように流入通路４３の通路幅を賞球用通路４４の通路幅より幅広とするのが好ましい。さらに、球払出装置１５の排出通路２０と連通する流入口４３ａおよび反転して該排出通路２０と連通する賞球用通路４４の流出口４４ａを、前記排出通路２０を包含する大きさの幅広開口とするのが好ましく、流入口４３ａおよび流出口４４ａを必ずしもケース体４２の対称位置に設けることなく、ケース体４２の反転時に排出通路２０を包含するように設ければよい。また、それにともなって通路枠４２も幅広とするのがよい。なお、球計数センサ４７は光電式スイッチとして確実に球検知するようにするのが好ましい。
【００３２】
なお、切替手段５１および球計数センサ４８を外すことなくＣＲ機対応時の通路ユニット２６をそのまま反転装着しても何等支障をきたすことはない。また、切替手段５１の弁部材５２を支軸５６により垂下した状態として払出されたパチンコ球が跳ねて貸球用通路４５側に入り込まないようにしてもよい。また、普通機用として使用する際に貸球検知用の球計数センサ４８は装着しなくてもよいのは当然のことながら、賞球検知用の球計数センサ４７も使用しないで前記球払出装置１５の検出センサ２３の検出信号によって球計数するようにしてもよい。また、逆に賞球用の球計数センサ４７が流入通路４３の流入口４３ａに位置するために、球払出装置１５の検出センサ２３を使用することなく球計数センサ４７のみを使用してもタイムラグによる支障がなく賞球を計数することができる。
【００３３】
しかしながら、上記したように球払出装置１５の検出センサ２３および通路ユニット２６の球計数センサ４７，４８を設けて球払出装置１５で払出したパチンコ球を複数のセンサで検知することにより、万一針金等の不正具を賞球用通路４４または貸球用通路４５から侵入して球払出装置１５を作動させ不正にパチンコ球を排出獲得しようとしても、必然的に侵入経路順により不正具を先に球計数センサ４７，４８で検知し、後で上方に位置する検出センサ２３で検知するため、正規な払出時の検知順序と逆になり不正行為を認識判別することができる。このため視覚および聴覚的に不正行為を報知したり球払出装置１５の作用を不能としたりして不正行為により多量のパチンコ球が払出されることを未然に防ぐことができる。
【００３４】
なお、上記実施の形態において弁部材５２と作動体６２を別体としたが、弁部材と作動体６２を一体としてソレノイドの励磁により作動体と共に弁部材が回動するようにしてもよい。また、切替手段５１の弁部材５２を切替える電気的駆動源としてモータまたはロータリーソレノイドであってもよい。
【００３５】
例えば図１０および図１１に示すように切替手段５１は弁部材５２と電気的駆動源としての正逆モータ７３で構成され、弁部材５２と正逆モータ７３間にギア７４，７５を介在させている。ギア７４は弁部材５２と一体的に設けられ、正逆モータ７３の軸７３ａに固着したギア７５と噛合するように設けられる。そして、貸球の払出信号によって正逆モータ７３を駆動してギア７５を図上時計回り方向に回転して図１０鎖線に示すように弁部材５２を賞球用通路４４が閉塞し貸球用通路４５を開放するように回動させ、所定個数払出後に正逆モータ７３を逆転させることでギア７５が図上反時計回り方向に回転して図１０実線に示す弁部材５２を貸球用通路４５を閉塞することができる。
【００３６】
また、前記確認手段６６はケース体４１を設置スペース２５に正規な状態に装着すると、ケース体４１と設置スペース２３に跨って描かれた図形または文字が合致して識別判読できるようにして、普通機およびＣＲ機としての位置決めおよび確認手段としてもよい。さらに、球払出装置１５のカバー体２１とケース体４１のカバー体４１ａに跨って位置決めおよび普通機用とＣＲ機用の確認手段として図形または文字を描くようにしてもよい。また、例えば設置スペース２３である機構板９に「Ｆ」，「Ｃ」または「普通」，「カード」等の識別表示を施し、ケース体４１の表裏に黒三角等の矢印表示を設け、ケース体４１の取着時に該矢印表示の指示により普通機用とＣＲ機用の確認手段としてもよい。
【００３７】
また、通路ユニット２６の取着手段は、上記実施の形態に示したビス着に限定されることなく、設置スペース２５にケース体４１の取付片４９，４９に合致して係合する係合部と取付ボス２７，２７を形成し、ケース体４１の一側の取付片４９，４９を係合部に差込み係止して他側の取付片４９，４９をビス着６５，６５するようにしたり、弾性係止片または別途係止具により取着したりしてもよい。また、前記球払出装置１５を取着と兼ねて共締めするのが好ましい。
【００３８】
さらに、取着手段として図１２および図１３に示すように設置スペース２５にケース体４１の上下および前後を保持するＬ形の挟持壁６７，６７を対向して立設し、左右方向を規制する規制片６８および弾性係止片６９を設けるようにしてもよい。前記挟持壁６７，６７には流入通路４３および賞球用通路４４，貸球用通路４５の流入口４３ａおよび流出口４４ａ，４５ａに合致する開口６７ａ，６７ｂ，６７ｃが設けられている。通路ユニット２６の取着は、該通路ユニット２６を前記弾性係止片６９の付勢に抗して押圧しながらＬ形の挟持壁６７，６７間に横方向から嵌めこむことによりケース体４１の一側が規制片６８に衝止すると共に弾性係止片６９が通路ユニット２６の押圧から解放されて弾性復帰してケース体４１の他側を係止し通路ユニット２６を固定保持する。このとき図１３に示すように前記挟持壁６７，６７およびケース体４１に跨って位置決めおよび普通機用とＣＲ機用の確認手段６６として図形または文字を描くようにするのが好ましい。このように球払出装置１５を装着した状態で通路ユニット２６の取着および取外しが簡単にでき、取着手段をそのまま共有してケース体４１を表裏および上下反転装着することにより、球払出装置１５から払出されたパチンコ球を切替手段５１の切替えによって賞球および貸球として第一球通路または第二球通路に払出す第一状態とパチンコ球を賞球として第一球通路または第二球通路のいずれか一方に払出す第二状態のケース体４１に変更使用することができる。なお、前記上方に位置する挟持壁６７を前記球払出装置１５のケース体１６またはカバー体２１に設けるようにしてもよい。
【００３９】
また、図１４に取着手段の他の実施の形態を示す。この実施の形態は前記実施の形態と異なる点は挟持壁６７，６７に替わって挟持片を設けた点であるため、同じ構成要素には同一符号を付して説明する。ケース体４１の下方後面隅角および上方前面隅角に挟持片８０，８０が線対称状に形成されており、一方設置スペース２５下方および球払出装置１５の下方に前記挟持片８０，８０の挟持部８１，８１がＬ字状に形成されている。そして、前記実施の形態と同様にケース体４１を横方向から前記挟持片８０，８０が前記挟持部８１，８１に挟持されるようにスライドすることにより固着することができる。
【００４０】
上記したように、本実施の形態においては、普通機としてのパチンコ遊技機に使用する場合、カード対応型のパチンコ遊技機に使用する通路ユニット２６のケース体４１を反転装着して常に１通路のみ流下可能な状態にすることができるので、機構板９および球誘導樋１３，屈曲誘導樋１４等および通路ユニット２６のケース体４１をそのまま共通して使用することができ、しかも普通機用として改めて部品を成形することがなく遊技機の製造コストを大幅に下げることができる。
【００４１】
なお、通路ユニット２６の通路幅を球払出装置１５の排出通路２０の通路幅に合わせてパチンコ球のほぼ１個程度としたが、例えば屈曲誘導樋１４の球通路１４ａ，１４ｂに対応して球払出装置１５の排出通路２０を２条として交互に払出すようにした際に賞球用通路４４および貸球用通路４５の通路幅を同様に２条分の幅広としても何等問題はない。このとき球計数センサ４７，４８は発光部と受光部からなる光学式センサとするのが好ましい。
【００４２】
また、上記実施の形態において通路ユニット２６の取付けを設置スペース２５に直接設けるようにしたが、取着手段の一部を球払出装置１５に設けたり、球排出樋２９および余剰球通路３０の開放上面を覆う樋カバーの取付けを兼用して共締めとしてもよい。さらに、設置スペース２５に位置して球排出樋２９および余剰球通路３０の開放上面を覆う樋カバーに取着するようにしてもよい。また、球払出装置１５のケース１６に通路ユニット２６の取付けベースを延設し、球払出装置１５および通路ユニット２６を着脱自在なユニットとしてもよい。
【００４３】
さらに、図１５に示すように通路ユニット２６の通路枠４２（流入通路４３，第一球通路４４と第二球通路４５）を別体に形成してケース体４１に着脱自在に設け、該通路枠４２のみを水平軸により前後方向に反転し、上下および表裏反転装着することにより図１５（ａ）に示す球払出装置１５から払出されたパチンコ球を切替手段５１の切替えにより第一球通路４４と第二球通路４５とに払出す第一状態と、図１５（ｂ）に示す第一球通路４４または第二球通路４５のいずれか一方にのみ払出す第二状態とに変更するようにしてもよい。このように通路枠４２上下および表裏反転装着することによりケース体４１を取着する取着手段を共有するために該取着手段を対称状に設ける必要もなく、ケース体４１を取着した状態での普通機およびＣＲ機の切替えが可能となる。また、ケース体４１を反転しないことから貸球の流出口４５ａが上方に位置しないため、該開口を閉塞することもなくゴミや埃がケース体４１内に入り込むこともない。
【００４４】
なお、通路枠４２を前後貫通して側壁のみの構成とし、前後通路壁を機構板９および樋カバー７０により構成するようにしてもよい。また、通路枠４２の位置決めを設けるのが好ましく、例えば弁部材５２の支軸５６を上下中間位置として、該支軸５６を位置決め手段として利用するようにしてもよい。さらにまた、切替手段５１をケース体４１に設けることなく、機構板９または樋カバー７０に直接設け、通路枠４２を上下表裏反転するようにしてもよい。
【００４５】
上記実施の形態において、賞球用通路４４および貸球用通路４５を切替手段５１により切替えるように説明したが、貯球の払出機能を備えたパチンコ遊技機として使用する際には貸球用通路４５を貯球の払出操作により貯球が払出される貯球用通路としてもよいのはいうまでもない。
【００４６】
また、実施の形態において球タンク１２および球誘導樋１３，屈曲誘導樋１４さらに球払出装置１５，通路ユニット２６を機構板９に設けるようにしたが、これらをいわゆる着脱または開閉する機構板９を介さず前面枠２側に設けるようにしてもよく、球払出装置１５を球タンク１２または球誘導樋１３に設けたパチンコ遊技機にも適用可能であり、該球払出装置の下方に位置して通路ユニット２６を設けるようにすればよい。
【００４７】
【発明の効果】
以上説明したところから明らかなように、本発明においては、球払出装置の下方に位置して、球払出装置から払出されたパチンコ球を受入れ複数の分流通路に払出す通路ユニットをパチンコ遊技機に着脱自在とし、前記通路ユニットは、球払出装置から払出されたパチンコ球を受入れる流入通路と、該流入通路を分岐して第一球通路と第二球通路とを形成したケース体と、第一球通路と第二球通路との切替えを行う切替手段とからなり、球払出装置から払出されたパチンコ球を切替手段の切替えにより第一球通路と第二球通路とに払出す第一状態と、前記ケース体を上下表裏反転装着することにより、第一球通路または第二球通路のいずれか一方にのみ払出す第二状態とに変更可能としたものであるから、通路ユニットを取着する機構板は当然のことながら通路ユニットのケース体をそのまま共通して使用することができて製造コストを大幅に下げることができると共に、普通機とカード対応型のパチンコ遊技機とに容易に対応することができる。
【図面の簡単な説明】
【図１】  本発明が適用されるパチンコ遊技機の正面図である。
【図２】  図１のパチンコ遊技機の裏面図である。
【図３】  機構板の要部正面図である。
【図４】  通路ユニット部分の正面図である。
【図５】  通路ユニット部分の正面断面図である。
【図６】  図５の側面断面図である。
【図７】  図５の平面断面図である。
【図８】  普通機用としての使用状態を示す要部正面断面図である。
【図９】  図８の平面断面図である。
【図１０】  他の実施の形態を示す正面断面図である。
【図１１】  図１０の平面断面図である。
【図１２】  他の取着手段を示す要部斜視図である。
【図１３】  他の取着手段を示す要部正面図である。
【図１４】  さらに他の取着手段を示す要部斜視図である。
【図１５】  （ａ），（ｂ）は通路枠を着脱自在とした説明図である。
【符号の説明】
１５                  球排出装置（球払出手段）
１８                  回転体（制御体）
２０                  排出通路
２６                  通路ユニット
２７                  取付ボス（取着手段）
４１                  ケース体
４１ａ                ベース体
４１ｂ                カバー体
４２                  通路枠
４３                  流入通路
４４                  賞球用通路（第一球通路）
４５                  貸球用通路（第二球通路）
４９                  取付片（取着手段）
５０                  分岐部
５１                  切替手段
５２                  弁部材（切替手段）
５３                  ソレノイド（切替手段，電気的駆動源）
５６                  支軸
６５                  ビス（取着手段）
６６                  確認手段
６７                  挟持壁（取着手段）
６９                  弾性係止片（取着手段）
７３                  モータ（電気的駆動源）
【図１】
0004240869.tif 000002
【図２】
0004240869.tif 000003
【図３】
0004240869.tif 000004
【図４】
0004240869.tif 000005
【図５】
0004240869.tif 000006
【図６】
0004240869.tif 000007
【図７】
0004240869.tif 000008
【図８】
0004240869.tif 000009
【図９】
0004240869.tif 000010
【図１０】
0004240869.tif 000011
【図１１】
0004240869.tif 000012
【図１２】
0004240869.tif 000013
【図１３】
0004240869.tif 000014
【図１４】
0004240869.tif 000015
【図１５】
0004240869.tif 000016